(57)【要約】【課題】  枠本体に対してスクリーンを適正張力に容易に装着することができるとともに、張力付与装置を別途用意しなくても済むスクリーン印刷用版枠を提供する。【解決手段】  枠本体１１を構成する第１枠片１２の垂立板１２ａに対して第１保持凸条３１を取りつけ、この第１保持凸条３１に嵌合される第１クランプ部材３３によって、スクリーンＳの第１端縁Ｓ１をクランプする。第２枠片１３の所定位置に支持された支持軸３５Ａに対してワンウエイクラッチ３６Ａを介して回動支持筒３７Ａを一方向のみ回転可能に支持する。この回動支持筒３７Ａの外周面に対し第２保持凸条３８Ａを取り付ける。第２保持凸条３８Ａに嵌合される第２クランプ部材４０ＡによってスクリーンＳの第２端縁Ｓ２をクランプする。前記第２クランプ部材４０Ａ及び第２保持凸条３８Ａを時計回り方向に回動することによって、スクリーンＳに適正な張力を付与する。【選択図】      図２
2005205627.tif 000002
【特許請求の範囲】
【請求項１】
スクリーンを張設するための枠本体の複数箇所にスクリーンの端縁を保持する保持手段をそれぞれ設けるとともに、前記各保持手段の少なくとも一つを枠本体の外側方へ移動してスクリーンに張力を付与するための張力付与機構を設けたスクリーン印刷用版枠。
【請求項２】
請求項１において、前記枠本体は四角環状に形成され、その対向する第１枠片及び第２枠片には第１保持手段及び第２保持手段が設けられ、対向する第３枠片及び第４枠片には第３保持手段及び第４保持手段が設けられているスクリーン印刷用版枠。
【請求項３】
請求項２において、第１〜第４枠片には第１〜第４張力付与機構を介して第１〜第４保持手段が装着されているスクリーン印刷用版枠。
【請求項４】
請求項１〜３のいずれか１項において、前記張力付与機構は、枠本体又は第１〜第４枠片の少なくとも一つの枠片に取り付けられた支持軸と、該支持軸に回動可能に装着され、かつ前記保持手段を取り付けた回動支持体と、前記支持軸と回動支持体との間に介在され、かつ前記回動支持体及び保持手段を一方向へ回転させるためのワンウエイクラッチとにより構成されているスクリーン印刷用版枠。
【請求項５】
請求項１において、前記枠本体は複数に分割して構成され、各分割枠片は枠本体の幅方向に相対移動可能に組み合わされ、各分割枠片の間には各分割枠片を拡幅方向又は縮幅方向に移動するようにした張力付与機構が設けられているスクリーン印刷用版枠。
【請求項６】
請求項５において、前記張力付与機構は、一方の分割枠片に設けられた軸受けに対し所定位置において正逆回転可能に支持された張力付与ボルトと、他方の分割枠片に設けられ、かつ前記張力付与ボルトの雄ネジ部を螺合したナットとにより構成されているスクリーン印刷用版枠。
【請求項７】
請求項１において、前記枠本体は複数に分割して構成され、各分割枠片は屈曲状態と展開状態との間で相対傾動可能に連結され、各分割枠片の間には各分割枠片を展開状態に係止する係止機構が設けられているスクリーン印刷用版枠。
【請求項８】
請求項１〜７のいずれか一項において、前記保持手段は枠本体、枠片又は回動支持体に設けられた係止凸部又は係止凹部と、前記係止凸部又は係止凹部に嵌合又は嵌入され、かつスクリーンの端縁を係止可能な係止部材とにより構成されているスクリーン印刷用版枠。
【請求項９】
請求項１〜３のいずれか一項において、前記枠本体には前記保持手段を備えた取付バーが枠本体の拡幅方向又は縮幅方向の移動可能に装着され、前記枠本体と取付バーとの間には張力付与機構が設けられているスクリーン印刷用版枠。
【請求項１０】
請求項９において、前記張力付与機構は、前記枠本体の所定位置において正逆回転可能に支持された張力付与ボルトであって、その雄ネジ部が前記取付バー側のナット部に螺合されているスクリーン印刷用版枠。
【発明の詳細な説明】
【技術分野】
【０００１】
本発明は、スクリーン印刷機に用いられるスクリーン印刷用版枠に関する。
【背景技術】
【０００２】
従来のスクリーン印刷用版枠として四角環状の枠本体に対して、接着剤によりスクリーンの４つの端縁を接着剤を用いて接着する構造のものと、枠本体に対しスクリーンの端縁をクランプする複数のクランプ機構を設けた構造のものとがある。
【０００３】
前者の版枠にスクリーンを接着する際には該スクリーンに対して手作業又は別途用意された張力付与装置により所定の張力を付与するようになっている。
一方、後者の版枠においては、前記各クランプ機構のうち少なくとも１つは枠本体に対してその幅方向の往復動可能に装着され、スクリーンに対して張力を付与することができるようになっている。又、クランプ機構を構成するホルダーはスクリーンに張力を付与した状態で、ロック機構用のボルトにより枠本体の所定位置にロックされるようになっている。
【０００４】
従って、前記枠本体にスクリーンを装着する際には、前記クランプ機構によってスクリーンの四つの端縁をそれぞれクランプする。この状態で、別途用意した張力付与装置により前記複数のクランプ機構のうち少なくとも１つのクランプ機構を枠本体の幅方向外側に移動してスクリーンに所定の張力を付与する。この状態で、前記クランプ機構を構成する前記ホルダーを前記ロック用のボルトにより枠本体の所定位置にロックする。その後、前記張力付与装置による張力の付与を解除することにより枠本体に対するスクリーンの装着が終了する。
【発明の開示】
【発明が解決しようとする課題】
【０００５】
ところが、前者のスクリーン印刷用版枠は、枠本体に対してスクリーンを接着した後にスクリーンに付与された張力が不足する場合にその張力を適正な張力に修正することができないという問題があった。又、接着剤を用いるので、枠本体からスクリーンを分離する作業が面倒で、枠本体に付着された残留する接着剤の清掃も必要になるという問題があった。
【０００６】
一方、後者のスクリーン印刷版枠は、スクリーンに適正な張力を付与した状態で、クランプ機構をロック用ボルトによって枠本体に固定することができるが、次のような問題があった。即ち、別途用意された張力付与装置によってスクリーンの端縁をクランプしたクランプ機構を枠本体の幅方向外側に引っ張った状態で保持し、次に、ロック用のボルトによって枠本体に対しクランプ機構を構成するホルダーをロックする必要がある。このため、枠本体に対するスクリーンの装着作業が非常に面倒であるばかりでなく、スクリーンに張力を付与するための専用の張力付与装置を別途用意しなければならないという問題があった。
【０００７】
本発明は、上記従来の技術に存する問題点を解消して、枠本体に対してスクリーンを適正張力状態に容易に装着することができるとともに、張力付与装置を別途用意しなくても済み、コストを低減することができるスクリーン印刷用版枠を提供することにある。
【課題を解決するための手段】
【０００８】
上記問題点を解決するために、請求項１に記載の発明は、スクリーンを張設するための枠本体の複数箇所にスクリーンの端縁を保持する保持手段をそれぞれ設けるとともに、前記各保持手段の少なくとも一つを枠本体の外側方へ移動してスクリーンに張力を付与するための張力付与機構を設けたことを要旨とする。
【０００９】
請求項２に記載の発明は、請求項１において、前記枠本体は四角環状に形成され、その対向する第１枠片及び第２枠片には第１保持手段及び第２保持手段が設けられ、対向する第３枠片及び第４枠片には第３保持手段及び第４保持手段が設けられていることを要旨とする。
【００１０】
請求項３に記載の発明は、請求項２において、第１〜第４枠片には第１〜第４張力付与機構を介して第１〜第４保持手段が装着されていることを要旨とする。
請求項４に記載の発明は、請求項１〜３のいずれか１項において、前記張力付与機構は、枠本体又は第１〜第４枠片の少なくとも一つの枠片に取り付けられた支持軸と、該支持軸に回動可能に装着され、かつ前記保持手段を取り付けた回動支持体と、前記支持軸と回動支持体との間に介在され、かつ前記回動支持体及び保持手段を一方向へ回転させるためのワンウエイクラッチとにより構成されていることを要旨とする。
【００１１】
請求項５に記載の発明は、請求項１において、前記枠本体は複数に分割して構成され、各分割枠片は枠本体の幅方向に相対移動可能に組み合わされ、各分割枠片の間には各分割枠片を拡幅方向又は縮幅方向に移動するようにした張力付与機構が設けられていることを要旨とする。
【００１２】
請求項６に記載の発明は、請求項５において、前記張力付与機構は、一方の分割枠片に設けられた軸受けに対し所定位置において正逆回転可能に支持された張力付与ボルトと、他方の分割枠片に設けられ、かつ前記張力付与ボルトの雄ネジ部を螺合したナットとにより構成されていることを要旨とする。
【００１３】
請求項７に記載の発明は、請求項１において、前記枠本体は複数に分割して構成され、各分割枠片は屈曲状態と展開状態との間で相対傾動可能に連結され、各分割枠片の間には各分割枠片を展開状態に係止する係止機構が設けられていることを要旨とする。
【００１４】
請求項８に記載の発明は、請求項１〜７のいずれか一項において、前記保持手段は枠本体、枠片又は回動支持体に設けられた係止凸部又は係止凹部と、前記係止凸部又は係止凹部に嵌合又は嵌入され、かつスクリーンの端縁を係止可能な係止部材とにより構成されていることを要旨とする。
【００１５】
請求項９に記載の発明は、請求項１〜３のいずれか一項において、前記枠本体には前記保持手段を備えた取付バーが枠本体の拡幅方向又は縮幅方向の移動可能に装着され、前記枠本体と取付バーとの間には張力付与機構が設けられていることを要旨とする。
【００１６】
請求項１０に記載の発明は、請求項９において、前記張力付与機構は、前記枠本体の所定位置において正逆回転可能に支持された張力付与ボルトであって、その雄ネジ部が前記取付バー側のナット部に螺合されていることを要旨とする。
【発明の効果】
【００１７】
請求項１〜１０記載の発明によれば、スクリーンを張設するための枠本体の複数箇所にスクリーンの端縁を保持する保持手段をそれぞれ設けるとともに、前記各保持手段の少なくとも一つを枠本体の外側方へ移動してスクリーンに張力を付与するための張力付与機構を設けた。このため、枠本体に対してスクリーンを適正張力状態に容易に装着することができるとともに、張力付与装置を別途用意しなくても済み、コストを低減することができる。
【００１８】
請求項２記載の発明は、第１〜第４保持手段によって四角形状のスクリーンの四つの端縁を安定して保持することができる。
請求項３記載の発明は、第１〜第４張力付与機構によりスクリーンの四つの端縁に対しそれぞれ張力を適正に付与することができる。
【００１９】
請求項４記載の発明は、前記回動支持体及び保持手段をワンウエイクラッチにより一方向へ回動させることによりスクリーンの端縁に容易に適正張力を付与することができる。
請求項５記載の発明は、張力付与機構によって各分割枠片が枠本体の拡幅方向に移動され、スクリーンの端縁に容易に適正張力を付与することができる。又、枠本体自体を保持手段の１つの部品として用いることができるので、部品点数を低減し製造を容易に行いコストを低減することができる。
【００２０】
請求項６記載の発明は、張力付与機構を軸受け、張力付与ボルト及びナットにより安価に構成することができるとともに、スクリーンに付与された張力を張力付与ボルトによって容易に調整することができる。
【００２１】
請求項７記載の発明は、分割枠片を屈曲状態から展開状態にすることによりスクリーンの端縁に容易に適正張力を付与することができる。
請求項８記載の発明は、前記保持手段の構成を簡素化して製造を容易に行い、コストの低減を図ることができる。
【００２２】
請求項９記載の発明は、張力付与機構によって保持手段を備えた取付バーが枠本体の拡幅方向に移動され、スクリーンに対する張力の付与を適正かつ容易に行うことができる。
請求項１０記載の発明は、張力付与機構の構成を簡素化してコストを低減することができる。
【発明を実施するための最良の形態】
【００２３】
以下、本発明を具体化したスクリーン印刷用版枠の第１実施形態を図１〜図７に従って説明する。
図１に示すように、スクリーン印刷用版枠を構成する枠本体１１は、平面四角環状に形成されている。この枠本体１１は、第１枠片１２と、この第１枠片１２から所定の間隔をおいて互いに平行に配設された第２枠片１３と、前記第１枠片１２及び第２枠片１３の左右両端部間に互いに平行に連結された第３枠片１４及び第４枠片１５とによって構成されている。
【００２４】
前記第１枠片１２は、垂立板１２ａと水平板１２ｂとによって、横断面が図２に示すように横Ｌ字状に形成され、垂立板１２ａには前記第３及び第４枠片１４，１５の一端面が接合され、ボルト１６によって連結されている。前記第３枠片１４の他端面には平面Ｌ字状の第１連結金具１７の一方の連結片１７ａが接合され、ボルト１８によって締め付け固定されている。前記第４枠片１５の他端面には同じく平面Ｌ字状の第２連結金具１９の一方の連結片１９ａが接合され、ボルト２０によって締め付け固定されている。前記第１連結金具１７の他方の連結片１７ｂと第２連結金具１９の他方の連結片１９ｂの間には前記第２枠片１３が介在され、ボルト２２によって締め付け固定されている。
【００２５】
前記第１及び第２連結金具１７，１９の下端面には左右一対の取付板２３がボルト或いは溶接によって取り付けられている。両取付板２３にはスリット２３ａが形成され、図示しないボルトによって枠本体１１がスクリーン印刷機の所定の版枠取付け位置に装着されるようになっている。
【００２６】
前記第１枠片１２の垂立板１２ａの背面には係止凸部としての第１保持凸条３１がボルト３２によって枠本体１１の外側方に張り出すように締め付け固定されている。この第１保持凸条３１にはチャンネル状をなす係止部材としての係止溝３３ａを有する第１クランプ部材３３が嵌合されるようになっている。そして、図４に示すように第１保持凸条３１と第１クランプ部材３３によって、四角形状のスクリーンＳの第１端縁Ｓ１をクランプするようになっている。前記第１保持凸条３１と第１クランプ部材３３によってスクリーンＳの第１端縁Ｓ１を係止保持するための第１保持手段Ｍ１が構成されている。又、この第１保持手段Ｍ１は第１端縁Ｓ１を第１枠片１２の所定位置に保持することによってスクリーンＳの第１端縁Ｓ１に張力を付与する第１張力付与機構Ｋ１としての機能も兼用する。
【００２７】
図１，２に示すように、前記第１連結金具１７の他方の連結片１７ｂと、第２連結金具１９の他方の連結片１９ｂとの間には、スクリーンＳの第２端縁Ｓ２を係止保持するための第２保持手段Ｍ２が装着されている。この第２保持手段Ｍ２はクランプしたスクリーンＳの第２端縁Ｓ２に対して適正な張力を付与するための第２張力付与機構Ｋ２を備えている。
【００２８】
上記第２保持手段Ｍ２及び第２張力付与機構Ｋ２について説明すると、前記連結片１７ｂ，１９ｂの間には支持軸３５Ａが所定位置において回動不能に、かつ前記第２枠片１３と平行に架設連結されている。この支持軸３５Ａにはワンウエイクラッチ３６Ａを介して回動支持体としての回動支持筒３７Ａが一方向にのみ回転可能に支持されている。この回動支持筒３７Ａの外周面には係止凸部としての第２保持凸条３８Ａがボルト３９Ａによって、前記第２枠片１３と平行になるように締め付け固定されている。この第２保持凸条３８Ａと対応して係止部材としてのチャンネル状の係止溝４０ａを有する第２クランプ部材４０Ａが設けられている。
【００２９】
この第１実施形態では、前記支持軸３５Ａ、回動支持筒３７Ａ、第２保持凸条３８Ａ及び第２クランプ部材４０Ａ等によってスクリーンＳの第２端縁Ｓ２を係止保持するための第２保持手段Ｍ２が構成されている。そして、図４に示すように第２保持凸条３８Ａと第２クランプ部材４０Ａによって、スクリーンＳの第２端縁Ｓ２をクランプするようになっている。又、この第１実施形態では、第２保持手段Ｍ２に組み込まれた前記ワンウエイクラッチ３６ＡによってスクリーンＳの第２端縁Ｓ２を一方向に旋回移動させ、スクリーンＳの第２端縁Ｓ２に張力を付与するための第２張力付与機構Ｋ２が構成されている。
【００３０】
前記第１枠片１２の垂立板１２ａの左端部と前記第１連結金具１７の一方の連結片１７ａとの間には、スクリーンＳの第３端縁Ｓ３を保持する第３保持手段Ｍ３が設けられている。この第３保持手段Ｍ３には第３端縁Ｓ３を外側方へ引っ張ることにより適正な張力を付与するようにした第３張力付与機構Ｋ３が設けられている。同様にして、前記垂立板１２ａの右端面と前記第２連結金具１９の一方の連結片１９ａの右端面との間には、スクリーンＳの第４端縁Ｓ４を保持する第４保持手段Ｍ４が設けられている。この第４保持手段Ｍ４には第４端縁Ｓ４を外側方へ引っ張ることにより適正な張力を付与するようにした第４張力付与機構Ｋ４が設けられている。
【００３１】
前記第３保持手段Ｍ３及び第３張力付与機構Ｋ３と、第４保持手段Ｍ４及び第４張力付与機構Ｋ４は、図３に示すように、前述した第２保持手段Ｍ２及び第２張力付与機構Ｋ２と同様の構成であるため同一のアラビア数字に付されたアルファベットの文字を「Ｂ」、「Ｃ」に代えて表示する。そして、第３保持手段Ｍ３を構成する第３保持凸条３８Ｂと、第３クランプ部材４０ＢによってスクリーンＳの第３端縁Ｓ３がクランプされるようになっている。又、第４保持手段Ｍ４を構成する第４保持凸条３８Ｃと、第４クランプ部材４０ＣによってスクリーンＳの第４端縁Ｓ４がクランプされるようになっている。さらに、ワンウエイクラッチ３６Ｂは、図３において第３保持凸条３８Ｂが支持軸３５Ｂを中心として反時計回り方向への回動を許容し、ワンウエイクラッチ３６Ｃは、第４保持凸条３８Ｃが支持軸３５Ｃを中心として時計回り方向への回動を許容するようになっている。
【００３２】
次に、前記のように構成されたスクリーン印刷用版枠に対してスクリーンＳを装着する方法について説明する。
最初に、図２に示すようにスクリーンＳの第１端縁Ｓ１を第１保持凸条３１よりも下方に垂らすようにして配設するとともに、第２端縁Ｓ２を第２保持凸条３８Ａよりも右方に配設する。同様に、図３に示すようにスクリーンＳの第３端縁Ｓ３を第３保持凸条３８Ｂの左方に配設するとともに、第４端縁Ｓ４を第４保持凸条３８Ｃの右方に配設する。なお、図２，３ではスクリーンＳは浮いた状態に画かれている。
【００３３】
第１クランプ部材３３を第１保持凸条３１に嵌合して第１保持凸条３１と第１クランプ部材３３の間に図４に示すように第１端縁Ｓ１をクランプする。又、図２において第２クランプ部材４０Ａを第２保持凸条３８Ａに嵌合して第２保持凸条３８Ａと、第２クランプ部材４０Ａとの間に第２端縁Ｓ２を図４に示すようにクランプする。図４に示す状態においては、スクリーンＳが第１及び第２枠片１２，１３の上面に張力が付与されていない弛緩された状態で支持されている。
【００３４】
一方、図３において、第３クランプ部材４０Ｂ及び第４クランプ部材４０Ｃを第３及び第４保持凸条３８Ｂ，３８Ｃに嵌合して、スクリーンＳの第３及び第４端縁Ｓ３，Ｓ４を図６に示すようにクランプする。図６に示す状態においてはスクリーンＳが第３及び第４枠片１４，１５の上面に張力が付与されていない弛緩された状態で支持されている。
【００３５】
以上のようにして、スクリーンＳの第１〜第４端縁Ｓ１〜Ｓ４が図４及び図６に示すようにクランプされる。図４において、前記第２クランプ部材４０Ａを支持軸３５Ａを中心に時計回り方向に回動すると、第２保持凸条３８Ａがワンウエイクラッチ３６Ａの作用により回動支持筒３７Ａとともに同方向に回動され、第２端縁Ｓ２が同方向に移動される。スクリーンＳの第１端縁Ｓ１は、第１クランプ部材３３によって第１保持凸条３１に係止されているので、図５に示すようにスクリーンＳに張力が付与され、この状態はワンウエイクラッチ３６Ａによって保持される。
【００３６】
一方、図６において、第３クランプ部材４０Ｂを支持軸３５Ｂを中心に反時計回り方向に回動し、第４クランプ部材４０Ｃを支持軸３５Ｃを中心に時計回り方向に回動すると、第３保持凸条３８Ｂ及び第４保持凸条３８Ｃが図７に示す位置にそれぞれ回動される。このため、スクリーンＳの第３及び第４端縁Ｓ３，Ｓ４が互いに離隔する方向に引っ張られることになりスクリーンＳに張力が付与される。この状態は、ワンウエイクラッチ３６Ｂ，３６Ｃによって保持される。
【００３７】
上記の動作によりスクリーン印刷用版枠に対してスクリーンＳを適正張力で張設することができる。この版枠はスクリーン印刷機の所定の版枠取付け位置に装着されて例えば衣類等の表面に対して所定形状の模様が印刷される。
【００３８】
上記第１実施形態のスクリーン印刷用版枠によれば、以下のような効果を得ることができる。
（１）第１実施形態では、前記枠本体１１を構成する第１〜第４枠片１２〜１５に対して第１〜第４保持手段Ｍ１〜Ｍ４、第１〜第４張力付与機構Ｋ１〜Ｋ４を設けてスクリーンＳの第１〜第４端縁Ｓ１〜Ｓ４をクランプするとともに、第２〜第４端縁Ｓ２〜Ｓ４を枠本体１１の外側方向に引っ張り移動するようにした。このため、枠本体１１に対するスクリーンＳの装着作業を容易に行うことができるとともに、スクリーンＳに付与する張力の調整を容易に行うことができ、枠本体１１と別に張力付与装置を用意しなくても済む。
【００３９】
（２）第１実施形態では、第１〜第４保持手段Ｍ１〜Ｍ４を、第１保持凸条３１、第１クランプ部材３３、第２保持凸条３８Ａ、第２クランプ部材４０Ａ、第３保持凸条３８Ｂ、第３クランプ部材４０Ｂ、第４保持凸条３８Ｃ、第４クランプ部材４０Ｃによって構成した。このため、保持手段の構造を簡素化して、製造及び組み付け作業を容易に行い、コストを低減することができる。
【００４０】
（３）第１実施形態では、第２〜第４張力付与機構Ｋ２〜Ｋ４を支持軸３５Ａ〜３５Ｃと、回動支持筒３７Ａ〜３７Ｃとの間に介在されたワンウエイクラッチ３６Ａ〜３６Ｃによって構成した。このため、第２〜第４張力付与機構Ｋ２〜Ｋ４の部品点数を低減して構造を簡素化でき、製造及び組み付け作業を容易に行いコストを低減することができる。
【００４１】
（４）第１実施形態では、前記第１保持凸条３１及び第１クランプ部材３３に対して第１保持手段Ｍ１の機能に加えて、第１張力付与機構Ｋ１の機能を兼用するようにした。このため、部品点数を低減して製造及び組み付け作業を容易に行いコスト低減することができる。
【００４２】
次に、この発明の別の実施形態を図８〜図１１に基づいて順次説明する。なお、以下に示す各実施形態において、前述した第１実施形態と同様の構造を有する部材については同一の符号を付して説明を簡略あるいは省略する。
（第２実施形態）
図８に示す第２実施形態は、対向する一対の枠片５１，５２を連結する枠片をその中間部において分割し、一方の分割枠片５３に案内溝５３ａを形成して、他方の枠片５４の突き合わせ面に前記案内溝５３ａに直線方向に摺動案内される案内部材５４ａを形成している。又、枠片５１，５２の外側面に対してスクリーンＳの第１及び第２端縁Ｓ１，Ｓ２をクランプするための係止凹部としての係止溝５１ａ，５２ａを形成し、係止部材としてのクランプ部材５５，５６を前記係止溝５１ａ，５２ａ内に嵌入することによって第１及び第２端縁Ｓ１，Ｓ２をクランプするようにしている。
【００４３】
前記分割枠片５３，５４には張力付与機構Ｋ５が設けられている。この張力付与機構Ｋ５について以下に説明する。
前記枠片５４の下面に対し、軸受５７を取りつけ、前記分割枠片５３の下面にナット５８を溶接等によって取り付けている。軸受５７に張力付与ボルト５９の基端部を所定位置において回動可能に支持し、張力付与ボルト５９の先端の雄ネジ部５９ａを前記ナット５８のネジ穴５８ａに螺合している。張力付与ボルト５９の基端部に取り付けられた操作部５９ｂを手動操作によって回動して、前記分割枠片５３、枠片５４を、拡幅方向又は縮幅方向に移動するようにしている。
【００４４】
従って、前記枠片５１，５２にスクリーンＳの第１及び第２端縁Ｓ１，Ｓ２を、クランプ部材５５，５６によって係止保持した状態で、張力付与ボルト５９の操作部５９ｂを回動操作することによってスクリーンＳに適正な張力を付与することができる。
【００４５】
又、前記枠片５１，５２に対して図示しないが紙面と直交する拡幅方向又は縮幅方向の移動機構及び張力付与機構Ｋ５と同様の張力付与機構を設けることにより、スクリーンＳに対し紙面と直交する方向への張力を付与するようにしてもよい。
【００４６】
上記第２実施形態においては、枠片５１，５２に係止溝５１ａ，５２ａを設け、クランプ部材５５，５６によって、スクリーンＳの第１及び第２端縁Ｓ１，Ｓ２をクランプするようにした。このため、第１及び第２保持手段Ｍ１，Ｍ２の部品点数を１つに低減して、製造を容易に行いコストを低減することができる。
【００４７】
又、第２実施形態においては、張力付与機構Ｋ５を安価な部品である軸受５７、ナット５８及び張力付与ボルト５９によって構成したので、ワンウエイクラッチと比較して張力付与機構Ｋ５のコストを低減することができる。
（第３実施形態）
図９に示す第３実施形態は、前記分割枠片５３，５４を連結軸６１によって傾動可能に連結するとともに、分割枠片５３，５４の間に分割枠片５３と分割枠片５４が屈曲状態から展開状態に回動されたとき、この展開状態を保持し、スクリーンＳに張力を付与するための係止機構が設けられている。この係止機構としては図示しないが係止ピンを分割枠片５３と分割枠片５４の基端部に係合する構成が考えられる。
【００４８】
又、この第３実施形態においては、図示しないが枠片５１，５２をそれぞれ２つに分割して屈曲状態と展開状態とに切り換えられる機構を採用し、前述した係止機構と同様の係止機構を設けることもできる。
【００４９】
この第３実施形態においては、図９に鎖線で示す分割枠片５４にスクリーンＳを緩やかに装着した状態で分割枠片５４を鎖線で示す屈曲位置から実線で示す展開位置に回動することによって、スクリーンＳの両端縁に張力が付与される。
（第４実施形態）
図１０に示す第４実施形態では、例えば第１枠片１２に対して取付バー７１を図示しない案内機構により枠本体１１の拡幅方向又は縮幅方向の往復動可能に装着するとともに、第１枠片１２と取付バー７１の間に取付バー７１を拡幅方向にのみ移動可能なワンウエイクラッチ７２を設けている。又、ワンウエイクラッチ７２にはワンウエイクラッチの機能を解除するための解除機構（図示しない）も設けられている。前記取付バー７１には前記クランプ部材５５によってスクリーンＳの第１端縁Ｓ１をクランプ保持するための係止溝７１ａが形成されている。
【００５０】
この第４実施形態においては、取付バー７１に対してスクリーンＳの第１端縁Ｓ１をクランプ部材５５によって保持した状態で、取付バー７１をワンウエイクラッチ７２によって、拡幅方向に移動することによりスクリーンＳに張力が付与される。なお、解除機構によってワンウエイクラッチ７２の機能を解除すると、取付バー７１が案内機構によって縮幅方向に移動可能となり、次のスクリーンＳの装着作業が行われる。
（第５実施形態）
図１１に示す第５実施形態では、図１０に示す第４実施形態において、第１枠片１２と取付バー７１との間に前述した図８で示す張力付与ボルト５９と同様の張力付与機構を設けている。張力付与ボルト５９の基端部は第１枠片１２に設けた軸受５７によって所定位置において正逆回転可能に支持され、張力付与ボルト５９の雄ネジ部５９ａは取付バー７１に設けたナット部としてのネジ孔７１ｂに螺合されている。
【００５１】
この第５実施形態では、部品点数を低減して、コストダウンを図ることができる。  なお、上記各実施形態は以下のように変更してもよい。
○各実施形態において、第１〜第４保持手段Ｍ１〜Ｍ４の構成を、例えば係止ピン等の別の構成にしてもよい。
【００５２】
○図１に示す第１実施形態において、第１枠片１２に対して第２保持手段Ｍ２及び第２張力付与機構Ｋ２と同様の構成を採用してもよい。
○第１〜第４張力付与機構Ｋ１〜Ｋ４の構成を別の構成に変更してもよい。
【００５３】
○前記枠本体１１の平面形状は四角環状以外に三角環状、五角環状、六角環状、或いは円環状、楕円環状であってもよい。又、閉環状にする必要はなく例えば平面コの字状に形成されていてもい。
【図面の簡単な説明】
【００５４】
【図１】この発明のスクリーン印刷用版枠を具体化した第１実施形態を示す示す斜視図。
【図２】第１実施形態のスクリーン印刷用版枠の一部省略横断面図。
【図３】第１実施形態のスクリーン印刷用版枠の一部省略横断面図。
【図４】スクリーン印刷用版枠に対するスクリーンの装着動作を示す一部省略横断面図。
【図５】同じくスクリーンの装着動作を示す一部省略横断面図。
【図６】同じくスクリーンの装着動作を示す一部省略横断面図。
【図７】同じくスクリーンの装着動作を示す一部省略横断面図。
【図８】この発明のスクリーン印刷用版枠の第２実施形態を示す横断面図。
【図９】この発明のスクリーン印刷用版枠の第３実施形態を示す横断面図。
【図１０】この発明のスクリーン印刷用版枠の第４実施形態を示す横断面図。
【図１１】この発明のスクリーン印刷用版枠の第５実施形態を示す横断面図。
【符号の説明】
【００５５】
Ｓ…スクリーン、Ｋ１〜Ｋ４…第１〜第４張力付与機構、Ｋ５…張力付与機構、Ｍ１〜Ｍ４…第１〜第４保持手段、１１…枠本体、１２〜１５…第１〜第４枠片、３５Ａ〜３５Ｃ…支持軸、３６Ａ〜３６Ｃ，７２…ワンウエイクラッチ、５１，５２…枠片、５３，５４…分割枠片、５７…軸受、５８…ナット、７１…取付バー。
【図１】
2005205627.tif 000003
【図２】
2005205627.tif 000004
【図３】
2005205627.tif 000005
【図４】
2005205627.tif 000006
【図５】
2005205627.tif 000007
【図６】
2005205627.tif 000008
【図７】
2005205627.tif 000009
【図８】
2005205627.tif 000010
【図９】
2005205627.tif 000011
【図１０】
2005205627.tif 000012
【図１１】
2005205627.tif 000013